(57)【要約】【課題】  固着手段としてボルトを用いしかもその締め付け面を９０度の位相差のある両面を採用することによって、材料に歪みが生ぜず、強度の劣化がなく、両側板に対しての後端板の正確な組み付けができ、ガンブラケットをロボット手首等に安定して確実に接続することができる溶接ガン装置におけるガンブラケット組立構造を提供する。【解決手段】  溶接ガンを保持する２枚の側板２，３とそれらの後端側で両側板に固着された後端板４とで中空枠を構成したガンブラケット１において、後端板に、両側板の後端自由面に当接するボルト締め付け面と両側板の後端側面に当接するボルト締め付け面とを形成し、両ボルト締め付け面の位相を９０度違えたボルトにより固着したことを特徴とする溶接ガン装置におけるガンブラケット組立構造。【選択図】        図２
2005081360.tif 000002
【特許請求の範囲】
【請求項１】
溶接ガンを保持する２枚の側板とそれらの後端側で両側板に固着された後端板とで中空枠を構成した溶接ガン装置のガンブラケットにおいて、後端板に、両側板の後端自由面に当接するボルト締め付け面と両側板の後端側面に当接するボルト締め付け面とを形成し、両ボルト締め付け面の位相を９０度違えたボルトにより固着したことを特徴とする溶接ガン装置におけるガンブラケット組立構造。
【発明の詳細な説明】
【技術分野】
【０００１】
本発明は、溶接ガンを保持する２枚の側板とそれらの後端側で両側板に固着された後端板とで中空枠を構成した溶接ガン装置のガンブラケットの組立構造に関するものである。
【背景技術】
【０００２】
従来、溶接ガンを保持する２枚の側板とそれらの後端側で両側板に固着された後端板とで中空枠を構成した溶接ガン装置のガンブラケットの組立構造において、後端板を両側板の後端面に溶接によって固着するようにしたものがある（例えば、特許文献１参照。）。
【０００３】
【特許文献１】特公昭６２ー１１９５０号公報（第３図）。
【発明の開示】
【発明が解決しようとする課題】
【０００４】
ところで前記従来技術では、両側板に対しての後端板の固着が溶接によって行われていることから、溶接時の加熱により材料に歪みや残留応力が生じたり溶接欠陥のために溶接部の強度が設計強度より低下してしまい、ロボット稼働中にガンブラケットが疲労破壊してしまう事故がなくならないという弱点がある。そのため両側板と後端板の板厚を厚くしたり全体の剛性を上げるため補強材を入れたりしているが、このことがコストアップ，重量アップの要因となっている。
【０００５】
本発明は、従来の技術の有するこのような問題点に鑑みてなされたものであり、その目的とするところは、固着手段としてボルトを用いしかもその締め付け面を９０度の位相差のある両面を採用することによって、材料に歪みが生ぜず、強度の劣化がなく、両側板に対しての後端板の正確な組み付けができ、ガンブラケットをロボット手首等に安定して確実に接続することができる溶接ガン装置におけるガンブラケット組立構造を提供しようとするものである。
【課題を解決するための手段】
【０００６】
上記目的を達成するために、本発明における溶接ガン装置におけるガンブラケット組立構造は、溶接ガンを保持する２枚の側板と後端板とで中空枠を構成した溶接ガン装置のガンブラケットにおいて、後端板に、両側板の後端自由面に当接するボルト締め付け面と両側板の後端側面に当接するボルト締め付け面とを形成し、両ボルト締め付け面の位相を９０度違えたボルトにより固着したことを特徴とするものである。
【発明の効果】
【０００７】
本発明においては、後端板に、両側板の後端自由面に当接するボルト締め付け面と両側板の後端側面に当接するボルト締め付け面とを形成し、両ボルト締め付け面の位相を９０度違えたボルトにより固着したことから、材料に歪みが生ぜず、強度の劣化がなく、両側板に対しての後端板の正確な組み付けができ、ガンブラケットをロボット手首等に安定して確実に接続することができる溶接ガン装置におけるガンブラケット組立構造となる。
【０００８】
そして、特に鋼板の他にアルミ系等の軽合金の素材の組み付けや溶接ができない合成樹脂を一部に採用すような異種材の組み付け等には、より有効な溶接ガン装置におけるガンブラケット組立構造となる。
【発明を実施するための最良の形態】
【０００９】
溶接ガン装置におけるガンブラケット組立構造を「溶接ガンを保持する２枚の側板と後端板とで中空枠を構成した溶接ガン装置のガンブラケットにおいて、後端板に、両側板の後端自由面に当接するボルト締め付け面と両側板の後端側面に当接するボルト締め付け面とを形成し、両ボルト締め付け面の位相を９０度違えたボルトにより固着した」構成とする。
【００１０】
そして、ガンブラケットの素材としては、鋼板，アルミ系等の軽合金，カ―ボン繊維強化プラスチック等が同一材或は異種材として採用され、また両側板の後端側面の締め付けとしては相互の内面或は相互の外面が適用される。
【実施例１】
【００１１】
図１ないし図３は本発明に係る実施例１のアルミ系のガンブラケットに関するものであり、図１はガンブラケットの概略正面図、図２はその平面図、図３は側面図である。
【００１２】
図において、１は溶接ガン装置に適用されるガンブラケットであり、該ガンブラケット１は間隔を置いて配置された側板２，３とこの両側板２，３の後端側に配置された後端板４とで概略，中空枠を形成している。そして、この後端板４はロボット手首（図示せず）にガンブラケット１を接続するときの取付基部となるものである。
【００１３】
そして、前記両側板２，３のそれぞれは、その前端部側に溶接ガンのア―ム（図示せず）を軸支する軸受孔５又は６を備え、各後端の自由面７，８は前記後端板４のボルト締め付け面９，１０にそれぞれ当接されている。また、前記両側板２，３の各後端の内側面１１，１２は後端板４のボルト締め付け面１３，１４にそれぞれ当接されている。
【００１４】
そして、両側板２，３の自由面７，８に当接する後端板４のボルト締め付け面９，１０にはボルト孔が形成されてボルト１５，１５，１５及びボルト１６，１６，１６により、また両側板２，３の各後端の内側面１１，１２に当接する後端板４のボルト締め付け面１３，１４にもボルト孔が形成されてボルト１７，１７，１７及びボルト１８，１８，１８により、両側板２，３の後端板４は締め付け組み付けられる。したがって、ボルト１５，１６の締め付け方向に対してボルト１７，１８の締め付け方向は９０度の位相差となる。
【００１５】
このように、両側板２，３に対して後端板４は、両ボルト締め付け面の位相を９０度違えたそれぞれ複数のボルトにより固着されて溶接ガン装置のガンブラケットの組立構造となるので、その組み付けに熱の発生はなく、確実で強力に組み立られる。
【００１６】
なお、両側板２，３や後端板４の素材はアルミ系に限らず他の軽合金や鋼板やカ―ボン繊維強化プラスチック等が同一材或は異種材として採用され得るのである。
【実施例２】
【００１７】
図４は本発明に係る実施例２のアルミ系のガンブラケットに関するものであり、図４はガンブラケットの要部平面図である。そして、上記実施例１のガンブラケットとは、両側板の後端側面の締め付けとして相互の外面が適用される構成以外は実質的に同一であるので、同一符号を付してその説明を省略する。
【００１８】
図４において、両側板２，３の各後端の外側面２１，２２は後端板４のボルト締め付け面２３，２４にそれぞれ当接され、このボルト締め付け面２３，２４にもボルト孔が形成されて各３個のボルト２５，２６により、両側板２，３の後端板４は締め付け組み付けられる。したがって、ボルト１５，１６の締め付け方向に対してボルト２５，２６の締め付け方向は９０度の位相差となる。
【００１９】
このように、両側板２，３に対して後端板４は、両ボルト締め付け面の位相を９０度違えたそれぞれ複数のボルトにより固着されて溶接ガン装置のガンブラケットの組立構造となるので、その組み付けに熱の発生はなく、確実で強力に組み立られる。
【００２０】
なお、この実施例の場合も、両側板２，３や後端板４の素材はアルミ系に限らず他の軽合金や鋼板やカ―ボン繊維強化プラスチック等が同一材或は異種材として採用され得るのである。
【図面の簡単な説明】
【００２１】
【図１】図１は本発明に係る実施例１のガンブラケットの概略正面図である。
【図２】図２はその平面図である。
【図３】図３は側面図である。
【図４】図４は本発明に係る実施例２のガンブラケットの要部平面図である。
【符号の説明】
【００２２】
１                                  ガンブラケット
２，３                              側板
４                                  後端板
９，１０，１３，１４，２３，２４    ボルト締め付け面
１５，１６，１７，１８，２５，２６  ボルト
【図１】
2005081360.tif 000003
【図２】
2005081360.tif 000004
【図３】
2005081360.tif 000005
【図４】
2005081360.tif 000006